(57)【要約】【課題】ロジックアナライザのプローブへの信号名の設定を手作業で行うたため、大きな工数が発生したり、ミスが発生したりした。【解決手段】プローブ決定用プログラム０１５０と、プローブ決定用プログラムを実行するマイコンおよび記憶装置を含むターゲット０１０４と、ターゲットに接続されるプローブおよび表示装置を含み、実波形データを出力するロジックアナライザ０１０１と、プローブ決定用プログラムをシミュレートし理論波形データを出力する理論波形データ発生部０１５１と、理論波形データと実波形データが入力される波形データ比較部０１５４と、波形データ比較部の出力が接続され、波形データ比較部が実波形データと理論波形データを比較した出力結果に基づいてマイコンの信号名とプローブとの対応付けを行う信号名・プローブ対応付け部０１５５とを備える。【選択図】  図１
2004257813.tif 000002
【特許請求の範囲】
【請求項１】
プローブ決定用プログラムと、
前記プローブ決定用プログラムを実行するマイコンおよび記憶装置を含むターゲットと、
前記ターゲットに接続されるプローブおよび表示装置を含み、実波形データを出力するロジックアナライザと、
前記プローブ決定用プログラムをシミュレートし理論波形データを出力する理論波形データ発生部と、
前記理論波形データと前記実波形データとの波形比較を行う波形データ比較部と、
前記波形データ比較部の出力に接続された信号名・プローブ対応付け部とを備え、
前記信号名・プローブ対応付け部は、前記波形データ比較部による前記実波形データと前記理論波形データとの比較結果に基づいて前記マイコンの信号名と前記プローブとの対応付けを行うことを特徴とする計測装置。
【請求項２】
さらに、前記波形データ比較部による比較結果に基づいて、使用していない不要プローブの検出を行い、その結果を前記信号名・プローブ対応付け部に出力する不要プローブ選択部を備えた請求項１に記載の計測装置。
【請求項３】
さらに、前記不要プローブ選択部と前記信号名・プローブ対応付け部との間に、前記不要プローブ選択部から受け取った前記不要プローブの種類を分類し、その結果を前記信号名・プローブ対応付け部に出力するための不要プローブ種類分別部を備えた請求項２に記載の計測装置。
【請求項４】
請求項１から請求項３までのいずれかに記載の計測装置における前記ターゲットと前記プローブ決定用プログラムに代えて、複数のターゲットを含む各種ターゲットと、複数のプローブ決定用プログラムを含む各種プローブ決定用プログラムとを備えるとともに、
さらに、前記各種プローブ決定用プログラムの中から前記各種ターゲットにおける個々のターゲットに適したいずれかの前記プローブ決定用プログラムを選択するプローブ決定用プログラム選択部を備えた請求項１に記載の計測装置。
【請求項５】
さらに、前記理論波形データ発生部が出力する前記理論波形データを微調整する理論波形データ調整部を備えた請求項１から請求項４までのいずれかに記載の計測装置。
【請求項６】
さらに、前記理論波形データ発生部と前記波形データ比較部との間に介挿されて複数の理論波形データを格納する理論波形データ蓄積部と、
前記理論波形データ蓄積部に格納された複数の前記理論波形データから１つを選択する理論波形データ選択部とを備えた請求項１から請求項５までのいずれかに記載の計測装置。
【請求項７】
さらに、前記理論波形データ発生部と前記波形データ比較部との間に介挿されて複数の理論波形データを格納する理論波形データ蓄積部と、
前記波形データ比較部の比較結果に基づいて前記理論波形データ蓄積部に格納された複数の前記理論波形データから１つを選択する理論波形データ発見部とを備えた請求項１から請求項５までのいずれかに記載の計測装置。
【請求項８】
さらに、前記ロジックアナライザ側のプローブ線と前記ターゲット側のプローブ線とを物理的に繋ぎ替える仕組みを持つプローブ配線ディスパッチ装置と、
前記信号名・プローブ対応付け部による信号名・プローブ対応表と前記プローブ配線ディスパッチ装置による結線の状態を示す初期結線状態データに基づいて前記ロジックアナライザからのプローブと前記ターゲットに取り付けたプローブとを接続するための結線情報データを作成する結線情報作成部と、
前記ロジックアナライザからのプローブと前記ターゲットに取り付けたプローブとの配線を物理的に繋ぎ替える結線組み替え部とを備え、
前記ロジックアナライザのラベル付けを変更することなく物理的に配線を繋ぎ替えるように構成された請求項１から請求項５までのいずれかに記載の計測装置。
【請求項９】
さらに、測定を希望するユーザプロファイルを格納するユーザプロファイル蓄積部と、
前記ユーザプロファイルに基づいて前記理論波形データ発生部による理論波形データから抽出する波形を選択するプロファイル毎の波形データ抽出部と、
前記信号名・プローブ対応付け部による信号名・プローブ対応表から対応していないプローブを検出し、結線情報データを作成する未対応プローブ検出部と、
前記結線情報データから結線の組み替えを行う結線組み替え部と、
前記ロジックアナライザ側のプローブ線と前記ターゲット側のプローブ線とを物理的に繋ぎ替える仕組みを持つプローブ配線ディスパッチ装置とを備え、
前記ユーザ毎のプロファイルを作成することにより、ユーザ毎に必要な結線を組み替えることなく計測が行えるように構成された請求項１から請求項５までのいずれかに記載の計測装置。
【請求項１０】
さらに、複数のリファレンスプログラムと、
前記リファレンスプログラムから１つを選択するための情報が記述された計測目的記述ファイルと、
前記計測目的記述ファイルを用いて前記複数のリファレンスプログラムから１つを選択し、プローブ決定用プログラムとする計測目的別プログラム選択装置とを備えた請求項１から請求項９までのいずれかに記載の計測装置。
【請求項１１】
さらに、前記実波形データを前記理論波形データと比較できる形態の実波形変換データに変換する波形データ変換装置を備えた請求項１から請求項１０までのいずれかに記載の計測装置。
【請求項１２】
さらに、前記ターゲットに繋がっているプローブピンの１つ１つを仮計測基準信号とし、前記仮計測基準信号を基準として計測した前記ターゲットの実波形データについて前記理論波形データと一致するものを計測基準信号に決定する計測基準信号選択装置を備えた請求項１から請求項１１までのいずれかに記載の計測装置。
【請求項１３】
さらに、前記計測基準信号選択装置により選択された信号や状態を表示するための表示装置を備えた請求項１２に記載の計測装置。
【発明の詳細な説明】
【０００１】
【発明の属する技術分野】
本発明は、ロジックアナライザなどの計測装置に関するものである。
【０００２】
【従来の技術】
図２９はロジックアナライザを用いた従来の計測装置を示す図である。
【０００３】
このシステムは、記憶装置０１０６とマイコン０１０５を備えたターゲット０１０４と、プローブ０１０２と表示装置０１０３を備えたロジックアナライザ０１０１からなる。ロジックアナライザ０１０１とターゲット０１０４はプローブ０１０２を介して接続され、ターゲット０１０４の信号波形をロジックアナライザ０１０１で収集するようになっている。
【０００４】
ターゲット０１０４において、マイコン０１０５は、記憶装置０１０６に格納されたプログラムを実行する。ロジックアナライザ０１０１は、ターゲット０１０４の作動中の信号波形をプローブ０１０２を介して収集し、内部の情報とともに、表示装置０１０３に表示し、さらに、表示した各プローブの信号波形のそれぞれについて信号名（ラベル）を設定する。
【０００５】
【特許文献１】
特開平０２−２６３２４５号公報（第３−４頁、図１）
【特許文献２】
特開平０８−３２９１３２号公報（第５−６頁、図１−２）
【特許文献３】
実登第２２０９７３０号
【０００６】
【発明が解決しようとする課題】
図２９に示す従来の計測装置の構成では、ロジックアナライザのプローブを１つずつターゲットの信号線に接続していく際に、どのプローブをどの信号線に接続したかをメモしておき、そのメモに基づいてロジックアナライザの表示装置に表示されたプローブ毎の信号波形に対して信号名（ラベル）を１つずつ手作業で設定していく必要があった。
【０００７】
本発明は、このような事情に鑑みて創案されたものであり、プローブに信号名（ラベル）を対応付ける人為的な作業を省略できるようにするとともに、誤接続を抑制することを目的としている。
【０００８】
【課題を解決するための手段】
上記の課題を解決するために、本発明は次のような手段を講じる。
【０００９】
第１の解決手段として、本発明による計測装置は、プローブ決定用プログラムと、前記プローブ決定用プログラムを実行するマイコンおよび記憶装置を含むターゲットと、前記ターゲットに接続されるプローブおよび表示装置を含み、実波形データを出力するロジックアナライザと、前記プローブ決定用プログラムをシミュレートし理論波形データを出力する理論波形データ発生部と、前記理論波形データと前記実波形データとの波形比較を行う波形データ比較部と、前記波形データ比較部の出力に接続された信号名・プローブ対応付け部とを備え、前記信号名・プローブ対応付け部は、前記波形データ比較部による前記実波形データと前記理論波形データとの比較結果に基づいて前記マイコンの信号名と前記プローブとの対応付けを行うことを特徴とする。
【００１０】
この構成による作用は次のとおりである。すなわち、ターゲットは、プローブ決定用プログラムを読み込んで実行し、実行結果をプローブを介してロジックアナライザに出力すると、ロジックアナライザはその実行結果を実波形データとして波形データ比較部に出力する。一方、理論波形データ発生部はプローブ決定用プログラムをシミュレートし、その結果を理論波形データとして波形データ比較部に出力する。波形データ比較部は理論波形データと実波形データを比較し、比較結果を信号名・プローブ対応付け部に出力する。信号名・プローブ対応付け部は、比較結果を基にして、プローブがマイコンのどの信号を表しているかの対応付けをロジックアナライザに設定する。これにより、ロジックアナライザの表示装置に自動的に信号名（ラベル）を表示させることができ、プローブに信号名（ラベル）を対応付ける人為的な作業を省略することができるとともに、誤接続を抑制することができる。
【００１１】
第２の解決手段として、本発明による計測装置は、さらに、前記波形データ比較部による比較結果に基づいて、使用していない不要プローブの検出を行い、その結果を前記信号名・プローブ対応付け部に出力する不要プローブ選択部を備えた構成とされている。
【００１２】
この構成による作用は次のとおりである。ロジックアナライザのプローブ数は有限である。プローブの接続の誤りの場合に、不要プローブ選択部は信号名の対応付けができないプローブを不要プローブとして抽出することにより、ロジックアナライザのプローブを有効利用することが可能となる。
【００１３】
第３の解決手段として、本発明による計測装置は、さらに、前記不要プローブ選択部と前記信号名・プローブ対応付け部との間に、前記不要プローブ選択部から受け取った前記不要プローブの種類を分類し、その結果を前記信号名・プローブ対応付け部に出力するための不要プローブ種類分別部を備えた構成とされている。
【００１４】
この構成によれば、不要であるプローブの種類を知り、その結果をユーザが確認した上でプローブを取り外すことができるため、取り外しの誤りを防ぐことが可能となる。
【００１５】
第４の解決手段として、本発明による計測装置は、前記ターゲットと前記プローブ決定用プログラムに代えて、複数のターゲットを含む各種ターゲットと、複数のプローブ決定用プログラムを含む各種プローブ決定用プログラムとを備えるとともに、さらに、前記各種プローブ決定用プログラムの中から前記各種ターゲットにおける個々のターゲットに適したいずれかの前記プローブ決定用プログラムを選択するプローブ決定用プログラム選択部を備えた構成とされている。
【００１６】
この構成によれば、複数のターゲットに対して、ロジックアナライザを共用することができる。
【００１７】
第５の解決手段として、本発明による計測装置は、さらに、前記理論波形データ発生部が出力する前記理論波形データを微調整する理論波形データ調整部を備えた構成とされている。
【００１８】
この構成によれば、理論波形データ調整部を設けたことにより、ターゲットにおけるマイコンや記憶装置の設定の組み合わせに応じて、出力される理論波形データとして、例えばノーウェイトのものや１ウェイトのものなど、最適なものを取得することができる。
【００１９】
第６の解決手段として、本発明による計測装置は、さらに、前記理論波形データ発生部と前記波形データ比較部との間に介挿されて複数の理論波形データを格納する理論波形データ蓄積部と、前記理論波形データ蓄積部に格納された複数の前記理論波形データから１つを選択する理論波形データ選択部とを備えた構成とされている。
【００２０】
この構成によれば、理論波形データ蓄積部と理論波形データ選択部を設けたことにより、ターゲットにおけるマイコンや記憶装置の設定の組み合わせに応じて、出力される理論波形データとして、例えばノーウェイトのものや１ウェイトのものなど、最適なものを取得することができる。
【００２１】
第７の解決手段として、本発明によるは、さらに、前記理論波形データ発生部と前記波形データ比較部との間に介挿されて複数の理論波形データを格納する理論波形データ蓄積部と、前記波形データ比較部の比較結果に基づいて前記理論波形データ蓄積部に格納された複数の前記理論波形データから１つを選択する理論波形データ発見部とを備えた構成とされている。
【００２２】
この構成によれば、理論波形データ蓄積部と理論波形データ発見部を設けたことにより、ターゲットにおけるマイコンや記憶装置の設定の組み合わせに応じて、出力される理論波形データとして、例えばノーウェイトのものや１ウェイトのものなど、最適なものを取得することができる。
【００２３】
第８の解決手段として、本発明による計測装置は、さらに、前記ロジックアナライザ側のプローブ線と前記ターゲット側のプローブ線とを物理的に繋ぎ替える仕組みを持つプローブ配線ディスパッチ装置と、前記信号名・プローブ対応付け部による信号名・プローブ対応表と前記プローブ配線ディスパッチ装置による結線の状態を示す初期結線状態データに基づいて前記ロジックアナライザからのプローブと前記ターゲットに取り付けたプローブとを接続するための結線情報データを作成する結線情報作成部と、前記ロジックアナライザからのプローブと前記ターゲットに取り付けたプローブとの配線を物理的に繋ぎ替える結線組み替え部とを備え、前記ロジックアナライザのラベル付けを変更することなく物理的に配線を繋ぎ替えるものである。
【００２４】
この構成による作用は次のとおりである。すなわち、結線情報作成部は信号名・プローブ対応表と初期結線状態データとに基づいて結線情報データを作成し、結線組み替え部は結線情報データに基づいてプローブ配線ディスパッチ装置においてプローブの繋ぎ替えを行う。これにより、アドレス信号、データ信号などのまとまりのあるデータをプローブ線の連続するプローブに接続することが可能となり、ロジックアナライザの変更などを行わないで、アドレス、データなどの値を表示させることができる。
【００２５】
第９の解決手段として、本発明による計測装置は、さらに、測定を希望するユーザプロファイルを格納するユーザプロファイル蓄積部と、前記ユーザプロファイルに基づいて前記理論波形データ発生部による理論波形データから抽出する波形を選択するプロファイル毎の波形データ抽出部と、前記信号名・プローブ対応付け部による信号名・プローブ対応表から対応していないプローブを検出し、結線情報データを作成する未対応プローブ検出部と、前記結線情報データから結線の組み替えを行う結線組み替え部と、前記ロジックアナライザ側のプローブ線と前記ターゲット側のプローブ線とを物理的に繋ぎ替える仕組みを持つプローブ配線ディスパッチ装置とを備えた構成とされている。
【００２６】
この構成によれば、ユーザ毎のプロファイルを作成することにより、ユーザが目的とするプローブが自動的に選択され、ターゲット上のプローブ接続を意識しなくても計測することができる。
【００２７】
第１０の解決手段として、本発明による計測装置は、さらに、複数のリファレンスプログラムと、前記リファレンスプログラムから１つを選択するための情報が記述された計測目的記述ファイルと、前記計測目的記述ファイルを用いて前記複数のリファレンスプログラムから１つを選択し、プローブ決定用プログラムとする計測目的別プログラム選択装置とを備えた構成とされている。
【００２８】
この構成によれば、計測を希望する計測内容項目を計測目的記述ファイルに記述しておけば、計測目的別プログラム選択装置が複数のリファレンスプログラムの中から計測目的記述ファイルに記述されている計測希望の計測内容項目に適合した１つのリファレンスプログラムを選択し、選択したリファレンスプログラムをプローブ決定用プログラムとして決定する。したがって、ロジックアナライザによるプローブと信号名（ラベル）との自動的な対応付けの処理を、目的に応じて柔軟に展開することができる。
【００２９】
第１１の解決手段として、本発明による計測装置は、さらに、前記実波形データを前記理論波形データと比較できる形態の実波形変換データに変換する波形データ変換装置を備えた構成とされている。
【００３０】
この構成によれば、波形データ変換装置により常に実波形データを理論波形データと比較可能な形態の実波形変換データに変換し、その上で、実波形変換データを理論波形データと比較するため、リアルタイムの比較が可能となる。したがって、電源を入れ直したり、リセットしたり、プログラムを最初から実行させるなどといった初期状態に戻すことなく、プログラム実行中にプローブを繋ぎ替えた場合でも、そのプローブがどの信号と対応付けられるかの判定を継続的に効率良く遂行できるようになる。
【００３１】
第１２の解決手段として、本発明による計測装置は、さらに、前記ターゲットに繋がっているプローブピンの１つ１つを仮計測基準信号とし、前記仮計測基準信号を基準として計測した前記ターゲットの実波形データについて前記理論波形データと一致するものを計測基準信号に決定する計測基準信号選択装置を備えた構成とされている。
【００３２】
この構成による作用は次のとおりである。ロジックアナライザでは計測の基準となる信号を設定しなければならない。そこで、計測基準信号選択装置によって仮計測基準信号を設定した上で、理論波形データとの比較を通じて、一致する仮計測基準信号を計測基準信号に決定することができる。また、計測の基準として、立ち上がりや立ち下がりなどの信号の状態も必要な場合は、それらを条件に加えることで、同様に決定することができる。
【００３３】
第１３の解決手段として、本発明による計測装置は、さらに、前記計測基準信号選択装置により選択された信号や状態を表示するための表示装置を備えた構成とされている。この構成によれば、選択された計測基準信号や、立ち上がり、立ち下がりなどといった信号の状態を表示させることが可能となる。
【００３４】
【発明の実施の形態】
以下、本発明にかかわる計測装置の実施の形態について図面に基づいて詳細に説明する。
【００３５】
（実施の形態１）
図１は本発明の実施の形態１における計測装置の構成を示すブロック図である。
【００３６】
図１に示す計測装置は、上記従来の計測装置の構成要素に加えて、プローブ決定用プログラム０１５０と、理論波形データ発生部０１５１と、理論波形データ０１５２と、実波形データ０１５３と、波形データ比較部０１５４と、信号名・プローブ対応付け部０１５５とを備えている。
【００３７】
ターゲット０１０４は、プローブ決定用プログラム０１５０を記憶装置０１０６に格納し、マイコン０１０５により実行する。
【００３８】
ロジックアナライザ０１０１は、ターゲット０１０４によるプローブ決定用プログラム０１５０の実行状態を実波形データ０１５３として出力する。
【００３９】
理論波形データ発生部０１５１は、プローブ決定用プログラム０１５０をシミュレート実行し、理論波形データ０１５２を出力する。
【００４０】
波形データ比較部０１５４は、理論波形データ０１５２と実波形データ０１５３を比較し、比較結果を信号名・プローブ対応付け部０１５５に出力する。
【００４１】
信号名・プローブ対応付け部０１５５は、波形データ比較部０１５４による比較結果に基づいて、プローブ０１０２がマイコン０１０５のどの信号を表しているかの対応付けをロジックアナライザ０１０１に設定する。
【００４２】
図２は、本発明の実施の形態１におけるプローブ決定用プログラム０１５０の一部を表している。
【００４３】
図３は、理論波形データ発生部０１５１によって図２のプローブ決定用プログラム０１５０をシミュレートした結果、得られた理論波形データ０１５２を表している。それは、ターゲット０１０４に搭載されたマイコン０１０５によるプローブ決定用プログラム０１５０のシミュレートに相当する。この理論波形データ０１５２は、マイコン０１０５の各信号（φ、Ａ１５〜Ａ０、Ｄ７〜Ｄ０、ＬＩＲ、ＭＥ、ＲＤ、ＷＲ）の移り変わりを示している。
【００４４】
図４は、図２のプローブ決定用プログラム０１５０をターゲット０１０４で実行し、その状況をロジックアナライザ０１０１でデータ収集した結果、得られる実波形データ０１５３を表している。この実波形データ０１５３は、ロジックアナライザ０１０１に接続されたプローブ０１０２が捉えた各信号（ｐ０〜ｐ２８）の移り変わりを示している。
【００４５】
波形データ比較部０１５４において、理論波形データ０１５２の各信号と実波形データ０１５３の各信号を比較してゆき、理論波形データ０１５２の信号と実波形データ０１５３の信号とで波形の一致するものを見つけ出す。例えば、図３の信号φと同じ波形を持つプローブは、図４からｐ１１であることが分かる。同様に、信号Ａ１５と同じ波形を持つプローブはｐ１２であること、信号Ｄ７と同じ波形を持つプローブはｐ２７であること等々が分かる。
【００４６】
図５は、波形データ比較部０１５４によって、図３で示されている理論波形データ０１５２と図４で示されている実波形データ０１５３を比較した結果、得られる信号名・プローブ対応表を示している。
【００４７】
次に、信号名・プローブ対応付け部０１５５は、図５で示される対応表を基にして、ロジックアナライザ０１０１の表示装置０１０３に表示されるプローブ別信号波形データに信号名（ラベル名）を設定する。これにより、ロジックアナライザ０１０１の表示装置０１０３には、図６に示されるように信号名が見やすく表示される。
【００４８】
（実施の形態２）
図７は、本発明の実施の形態２における計測装置の構成を示すブロック図である。
【００４９】
図７に示す計測装置は、図１に示される計測装置の構成において、不要プローブ選択部０７５６を追加した構成となっている。
【００５０】
波形データ比較部０１５４によって実波形データ０１５３と理論波形データ０１５２の比較が行われた後、不要プローブ選択部０７５６は、プローブ０１０２の接続の誤りの場合に信号名の対応付けができないプローブを不要なプローブとして抽出する処理を行う。
【００５１】
ロジックアナライザ０１０１のプローブ数は有限であるが、本実施の形態により不要プローブを抽出することにより、ロジックアナライザ０１０１のプローブを有効利用することが可能となる。
【００５２】
（実施の形態３）
図８は、本発明の実施の形態３における計測装置の構成を示すブロック図である。
【００５３】
図８に示す計測装置は、図７に示される計測装置の構成において、不要プローブの種類分別部０８５７を追加した構成となっている。
【００５４】
不要プローブの種類分別部０８５７は、不要プローブ選択部０７５６において選択された不要プローブの種類を分別する処理を行う。
【００５５】
具体的には、実波形データ０１５３において、同一配線上に存在する端子を計測しているプローブと無信号のプローブを分別する。同一配線上に存在する端子を計測しているプローブを見分けるには、プローブ毎の信号を比較し、同じ信号である場合は同一の配線上に存在する端子であると判断する。また、プローブ信号の波形が常に“０”である場合に無信号のプローブであると判断する。
【００５６】
効果として、不要であるプローブの種類を知り、その結果をユーザが確認した上でプローブを取り外すことができるため、取り外しの誤りを防ぐことが可能となる。
【００５７】
（実施の形態４）
図９は、本発明の実施の形態４における計測装置の構成を示すブロック図である。
【００５８】
図９に示す計測装置は、図１に示される計測装置の構成において、ターゲット０１０４を複数のターゲット１〜３（０１１１〜０１１３）によって構成される各種ターゲット０１１０に置き換え、さらにプローブ決定用プログラム０１５０を複数のプローブ決定用プログラム１〜３（０９５１〜０９５３）によって構成される各種プローブ決定用プログラム０９５０に置き換え、さらにプローブ決定用プログラム選択部０９５４を追加したものである。
【００５９】
各種ターゲット０１１０を構成する複数のターゲット１〜３（０１１１〜０１１３）は、それぞれロジックアナライザ０１０１に対してプローブ０１０２を介して接続される。
【００６０】
各種プローブ決定用プログラム０９５０を構成する複数のプローブ決定用プログラム１〜３（０９５１〜０９５３）は、それぞれ対応するターゲット１〜３（０１１１〜０１１３）で実行される。
【００６１】
複数のターゲット１〜３（０１１１〜０１１３）のうちいずれか１つのターゲットがプローブ０１０２を介してロジックアナライザ０１０１に接続されるが、プローブ決定用プログラム選択部０９５４は、各種プローブ決定用プログラム０９５０における複数のプローブ決定用プログラム１〜３（０９５１〜０９５３）の中から、接続状態のターゲットに適した１つのプローブ決定用プログラムを選択する。
【００６２】
実波形データ０１５３との比較に適した理論波形データ０１５２を受け取った波形データ比較部０１５４は、理論波形データ０１５２の各信号と実波形データ０１５３の各信号を比較してゆき、理論波形データ０１５２の信号と実波形データ０１５３の信号とで波形の一致するものを見つけ出す。
【００６３】
次に、信号名・プローブ対応付け部０１５５は、ロジックアナライザ０１０１の表示装置０１０３に表示されるプローブ別信号波形データに信号名のラベルを設定する。
【００６４】
（実施の形態５）
図１０は、本発明の実施の形態５における計測装置の構成を示すブロック図である。
【００６５】
図１０に示す計測装置は、図１に示される計測装置の構成において、理論波形データ発生部０１５１に接続される理論波形データ調整部１０５０を追加したものである。
【００６６】
理論波形データ調整部１０５０は、ターゲット０１０４に搭載されたマイコン０１０５や記憶装置０１０６の取り得る設定の組み合わせを理論波形データ発生部０１５１に指示し、出力される理論波形データ０１５２を調節する。設定の組み合わせとしては、例えば、マイコン０１０５が記憶装置０１０６に対してメモリアクセスするときのタイミングについて、ノーウェイトの場合と１ウェイトの場合などがある。
【００６７】
図３は、図２のプローブ決定用プログラム０１５０を理論波形データ発生部０１５１でマイコン０１０５のメモリアクセスをノーウェイトとしてシミュレートした結果を表している。これに対し、図１１は図２のプローブ決定用プログラム０１５０を理論波形データ発生部０１５１でターゲット０１０４に搭載されたマイコン０１０５のメモリアクセスを１ウェイトとしてシミュレートした結果を表している。
【００６８】
理論波形データ調整部１０５０を設けたことにより、マイコン０１０５や記憶装置０１０６の設定の組み合わせに応じて、出力される理論波形データ０１５２として、ノーウェイトのものや１ウェイトのものなど最適なものを採用することができる。
【００６９】
実波形データ０１５３との比較に適した理論波形データ０１５２を受け取った波形データ比較部０１５４は、理論波形データ０１５２の各信号と実波形データ０１５３の各信号を比較してゆき、理論波形データ０１５２の信号と実波形データ０１５３の信号とで波形の一致するものを見つけ出す。次に、信号名・プローブ対応付け部０１５５は、ロジックアナライザ０１０１の表示装置０１０３に表示されるプローブ別信号波形データに信号名のラベルを設定する。
【００７０】
（実施の形態６）
図１２は、本発明の実施の形態６における計測装置の構成を示すブロック図である。
【００７１】
図１２に示す計測装置は、図１に示される計測装置の構成において、理論波形データ発生部０１５１と波形データ比較部０１５４との間に、理論波形データ０１５２に代えて複数の理論波形データ１〜３（１２５１〜１２５３）を有する理論波形データ蓄積部１２２０を追加し、さらに理論波形データ選択部１２５４を追加したものである。
【００７２】
理論波形データ蓄積部１２２０は、複数の理論波形データのバリエーションを蓄積する。
【００７３】
理論波形データ選択部１２５４は、理論波形データ蓄積部１２２０に蓄積された複数の理論波形データ１〜３（１２５１〜１２５３）のうちの任意のデータを選択し、理論波形データ蓄積部１２２０に対して、波形データ比較部０１５４に渡すよう指定する。
【００７４】
マイコン０１０５や記憶装置０１０６の取り得る設定の組み合わせに対応した複数の理論波形データ１〜３（１２５１〜１２５３）を理論波形データ蓄積部１２２０に蓄積しておき、理論波形データ選択部１２５４によりターゲット０１０４のその時点での設定に最も適した理論波形データを複数の理論波形データ１〜３（１２５１〜１２５３）の中から選択する。
【００７５】
実波形データ０１５３の比較に適した１つの理論波形データを受け取った波形データ比較部０１５４は、選択された理論波形データの各信号と実波形データ０１５３の各信号を比較してゆき、選択された理論波形データの信号と、実波形データ０１５３の信号とで波形の一致するものを見つけ出す。次に、信号名・プローブ対応付け部０１５５は、ロジックアナライザ０１０１の表示装置０１０３に表示されるプローブ別信号波形データに信号名のラベルを設定する。
【００７６】
（実施の形態７）
図１３は、本発明の実施の形態７における計測装置の構成を示すブロック図である。
【００７７】
図１３に示す計測装置は、図１２に示される計測装置の構成における理論波形データ選択部１２５４を理論波形データ発見部１３５０に置き換えたものである。
【００７８】
理論波形データ発見部１３５０は、理論波形データ蓄積部１２２０に蓄積された複数の理論波形データ１〜３（１２５１〜１２５３）の中から任意のデータを選択し、理論波形データ蓄積部１２２０に対して、波形データ比較部０１５４に渡すよう指定する。
【００７９】
さらに、理論波形データ発見部１３５０は、波形データ比較部０１５４の比較結果を受け取る。
【００８０】
理論波形データ発見部１３５０は、理論波形データ蓄積部１２２０から１番目の理論波形データ１（１２５１）を取り出し、波形データ比較部０１５４に渡して実波形データ０１５２との比較を行う。次に、理論波形データ蓄積部１２２０から２番目の理論波形データ２（１２５２）を取り出し、波形データ比較部０１５４に渡して実波形データ０１５３との比較を行う。次に、理論波形データ蓄積部１２２０から３番目の理論波形データ３（１２５３）を取り出し、波形データ比較部０１５４に渡して実波形データ０１５３との比較を行う。次に、複数の理論波形データ１〜３（１２５１〜１２５３）のうち最も波形の一致する割合の多い１つの理論波形データを実波形データ０１５３の比較に適したデータとして選択し、波形データ比較部０１５４に渡す。
【００８１】
実波形データ０１５３の比較に適した１つの理論波形データを受け取った波形データ比較部０１５４は、選択された理論波形データの各信号と実波形データ０１５３の各信号を比較してゆき、選択された理論波形データの信号と実波形データ０１５３の信号とで波形の一致するものを見つけ出す。次に、信号名・プローブ対応付け部０１５５は、ロジックアナライザ０１０１の表示装置０１０３に表示されるプローブ別信号波形データに信号名のラベルを設定する。
【００８２】
（実施の形態８）
図１４は本発明の実施の形態８における計測装置の構成を示すブロック図である。
【００８３】
図１４に示す計測装置は、図１に示される計測装置の構成において、結線情報作成部１４５９と、結線組み替え部１４６１と、プローブ配線ディスパッチ装置１４２０を追加した構成となっている。
【００８４】
結線情報作成部１４５９は、信号名・プローブ対応付け部０１５５による信号名・プローブ対応表１４５８とプローブ配線ディスパッチ装置１４２０による初期結線状態データ１４６２とに基づいて結線情報データ１４６０を作成し、結線組み替え部１４６１に出力する。結線情報データ１４６０は、ロジックアナライザ０１０１側のプローブ線１４２２とターゲット０１０４側のプローブ線１４２１との配線の組み替え操作を行うためのものである。
【００８５】
結線組み替え部１４６１は、結線情報データ１４６０に基づいてプローブ配線ディスパッチ装置１４２０の結線を組み替える処理を行う。
【００８６】
プローブ配線ディスパッチ装置１４２０は、ロジックアナライザ０１０１側のプローブ線１４２２とターゲット０１０４側のプローブ線１４２１の配線を繋ぎ替えるためのスイッチを備えている。スイッチは結線組み替え部１４６１により操作され、結線される。なお、本実施の形態においては、ロジックアナライザ０１０１側のプローブ線１４２２とターゲット０１０４側のプローブ線１４２１の本数は同じとする。
【００８７】
具体的に動作の説明を行うと、図１４において、プローブ配線ディスパッチ装置１４２０の初期状態として、ロジックアナライザ０１０１側のプローブ線１４２２とターゲット０１０４側のプローブ線１４２１との間で１対１に対応するように結線を行い、ユーザ指定の信号名をつける。この初期状態の結線情報を記述した初期結線状態データ１４６２がプローブ配線ディスパッチ装置１４２０により作成される。結線情報作成部１４５９は、初期結線状態データ１４６２と信号名・プローブ対応表１４５８に基づいて結線情報データ１４６０を作成し、結線組み替え部１４６１に出力する。
【００８８】
結線情報作成部１４５９において結線情報データ１４６０を作成する手順を図１５に示し、結線情報データ１４６０の作成について説明する。信号名・プローブ対応表の信号Ａ３に対応するのはロジックアナライザ側のプローブＰ４であり、同様に初期結線データのユーザ作成の信号名Ａ３に対応するのはターゲット側のプローブＴ３、ロジックアナライザ側のプローブＰ３である。よって、信号Ａ３に対応する結線情報は、ロジックアナライザ側のプローブＰ４とターゲット側のプローブＴ３であると判断し、結線情報データ１４６０を作成する。結線組み替え部１４６１は、結線情報データ１４６０を参照し、プローブ配線ディスパッチ装置１４２０の結線の組み替えを行う。
【００８９】
効果として、プローブ配線ディスパッチ装置１４２０により物理的に配線を接続し直すことにより、アドレス信号（３２ビットの場合、３２個の信号）、データ信号（３２ビットの場合、３２個の信号）などのまとまりのあるデータをロジックアナライザ０１０１のプローブ線１４２２の連続するプローブに接続することが可能となり、ロジックアナライザ０１０１の変更などを行わないで、アドレス、データなどの値を表示させることができる。
【００９０】
（実施の形態９）
図１６は本発明の実施の形態９における計測装置の構成を示すブロック図である。
【００９１】
図１６に示す計測装置は、図１に示される計測装置の構成において、ユーザプロファイル蓄積部１６３０と、プロファイル毎の波形データ抽出部１６６２と、未対応プローブ検出部１６６４と、結線組み替え部１６６６を追加した構成となっている。
【００９２】
ユーザプロファイル蓄積部１６３０は、複数のユーザプロファイルを保存しておくための記憶装置である。ユーザプロファイルとは、ユーザが測定したい信号が記述されているデータである。
【００９３】
プロファイル毎の波形データ抽出部１６６２は、ユーザプロファイルを参照し、理論波形データの中からユーザプロファイルに記述されている信号のみを抽出し、理論波形データ０１５２とする。
【００９４】
未対応プローブ検出部１６６４は、未対応のプローブが存在する場合に、ターゲット側の未接続のプローブに対して接続するよう結線情報データ１６６５を作成する。
【００９５】
結線組み替え部１６６６は、結線情報データ１６６５からプローブ配線ディスパッチ装置１６２０の結線を組み替える処理を行う。
【００９６】
プローブ配線ディスパッチ装置１６２０は、ロジックアナライザ０１０１側のプローブ線１６２２とターゲット０１０４側のプローブ線１６２１の配線を繋ぎ替えるためのスイッチを備えている。スイッチは結線組み替え部１６６６により操作され、結線される。なお、本実施の形態においては、プローブの本数は、ターゲット０１０４側のプローブ線１６２１の方がロジックアナライザ０１０１側のプローブ線１６２２より多いこととする。結線が行われた場合には、結線状態データ１６６７が結線情報として出力される。
【００９７】
結線状態データの例を図１７に示す。図１７はターゲット側のプローブとロジックアナライザ側のプローブの対応付けのデータであり、例えば、ターゲット側のプローブＴ１に対応するロジックアナライザのプローブはＰ１である。
【００９８】
具体的な動作を説明する。
【００９９】
図１８にプロファイル毎の波形データ抽出部１６６２において、ユーザプロファイルの項目の波形データを抽出する例を示す。プロファイル毎の波形データ抽出部１６６２において抽出された波形データが理論波形データ０１５２として出力される。
【０１００】
プローブ配線ディスパッチ装置１６２０の初期状態として、ロジックアナライザ０１０１側のプローブ線１６２２とターゲット０１０４側のプローブ線１６２１との間で対応付けがされている状態にする。その状態において、比較を行い、信号名・プローブ対応表１６６３の作成を行い、プローブと信号名が未対応であるプローブに対して未接続のプローブ割り当てを行う、未対応のプローブ検出部１６６４で処理が行われ、結線組み替え部１６６６において、プローブ配線ディスパッチ装置１６２０の結線組み替えが行われる。この過程を、未対応のプローブ検出部１６６４において、未対応のプローブが検出できなくなるまで繰り返し行う。
【０１０１】
これを繰り返すことにより、ユーザがユーザプロファイルに計測したい項目を記述することにより、上記過程を繰り返し、ユーザが目的とするプローブが自動的に選択され、ターゲット上のプローブ接続を意識しなくても計測ができる効果がある。
【０１０２】
（実施の形態１０）
図１９は、本発明の実施の形態１０における計測目的別プログラム選択装置を含む計測装置の構成を示すブロック図である。
【０１０３】
図１９に示す計測装置は、計測したい信号を記述しておく計測目的記述ファイル１９７１と、ターゲット０１０４上で動作するプログラムで、何の信号が取得できるかが記述されているリファレンスプログラム群１９７２と、計測目的記述ファイル１９７１に記述されている計測内容項目が、リファレンスプログラム群１９７２に含まれる各リファレンスプログラム１９７３，１９７４の計測内容項目に全て含まれているリファレンスプログラムを検索し、含まれているリファレンスプログラムをプローブ決定用プログラム０１５０に決定する計測目的別プログラム選択装置１９７０と、実施の形態１で示す計測装置の各構成要素とで構成される。
【０１０４】
図１９のような構成の計測装置の実施の形態１０において、図２０のデータを用いて説明する。
【０１０５】
図２０において、計測目的記述ファイル１９７１に記載されている計測内容項目は、データバスＤａｔＢｕｓ、アドレスバスＡｄｄＢｕｓ、メモリ１Ｍｅｍ１となっている。計測目的別プログラム選択装置１９７０は、計測目的記述ファイル１９７１に記述された計測内容項目が、第１のリファレンスプログラム１９７３、第２のリファレンスプログラム１９７４、・・・の計測内容項目ＩＴＥＭに含まれているかを検索する。図２０の場合、第２のリファレンスプログラムのＩＴＥＭに、ＤａｔＢｕｓ、ＡｄｄＢｕｓ、Ｍｅｍ１と記述されており、計測目的記述ファイル１９７１に記述された計測内容項目が含まれているので、計測目的別プログラム選択装置１９７０は、第２のリファレンスプログラム１９７４をプローブ決定用プログラム０１５０に決定する。
【０１０６】
なお、計測目的記述ファイル１９７１と、リファレンスプログラム群１９７２と、計測目的別プログラム選択装置１９７０とを含む実施の形態１０は、実施の形態１，２，３，５，６，７，８，９，１１，１２，１３および１４の中で適用しても、同様の効果が得られる。
【０１０７】
（実施の形態１１）
図２１は、本発明の実施の形態１１における波形データ変換装置を含む計測装置の構成を示すブロック図である。
【０１０８】
図２１に示す計測装置は、実施の形態１で示す計測装置の各構成要素と、実波形データ０１５３を理論波形データ０１５２と比較できる形態の実波形変換データ２１７１に変換するための波形データ変換装置２１７０とで構成される。理論波形データ発生部０１５１は理論波形データ０１５２を生成する。ロジックアナライザ０１０１はターゲット０１０４から実波形データ０１５３を計測する。波形データ変換装置２１７０は、実波形データ０１５３を理論波形データ０１５２と比較できる形態の実波形変換データ２１７１に変換するものである。
【０１０９】
ターゲット０１０４から計測した実波形データ０１５３を、波形データ変換装置２１７０を用いて実波形変換データ２１７１に変換することで、常に理論波形データ０１５２と比較できる状態にする。このことにより、電源を入れ直したり、リセットしたり、プログラムを最初から実行させるなどといった初期状態に戻すことなく、プログラム実行中にプローブ０１０２を繋ぎ替えたときに、そのプローブがどの信号と対応付けられるかを判定することができるようになる。
【０１１０】
図２１のような構成の計測装置の実施の形態１１において、図２２の波形データを用いて一例を説明する。
【０１１１】
ここで、プローブ決定用プログラム０１５０をループ構造にするなどして、波形データが繰り返し発生するようにしておく。
【０１１２】
図２２において、ターゲットの実行中に、比較開始、比較完了などの比較ポイント２２００，２２０１を決定する実波形データの基準波形２２０２と波形信号データ（実波形データ中の１つの信号）２２０３とを、波形データ変換装置２１７０に入力する。波形データ変換装置２１７０が、基準波形２２０２の比較ポイント２２００から次の比較ポイント２２０１までの実波形パターン２２０４を抽出する。波形データ比較部０１５４では、実波形パターン２２０４と、理論波形データの理論波形パターン２２０５とを比較し、一致しているかどうかを判定する。
【０１１３】
なお、波形データ変換装置２１７０と実波形変換データ２１７１とを含む実施の形態１１は、実施の形態２，３，４，５，６，７，８および９の中で適用しても、同様の効果が得られる。
【０１１４】
（実施の形態１２）
図２３は、本発明の実施の形態１２における計測基準信号選択装置を含む計測装置の構成を示すブロック図である。
【０１１５】
図２３に示す計測装置は、実施の形態１１で示す計測装置の各構成要素と、計測基準信号選択装置２３７０とで構成される。
【０１１６】
図２３のような構成の計測装置の実施の形態１２において、図２４の図を用いて説明する。
【０１１７】
ロジックアナライザ０１０１では計測の基準となる信号を設定しなければならない。そこで、以下のステップを実施することで、ロジックアナライザ０１０１で用いる計測基準信号を選択し、決定することができるようになる。また、計測の基準として、立ち上がりや立ち下がりなどの信号の状態も必要な場合は、それらを条件に加えることで、同様に計測基準信号選択装置２３７０で選択することができる。
【０１１８】
（ステップＳ２４０１）  計測基準信号選択装置２３７０は、プローブ０１０２の１つのピンを仮計測基準信号として仮に設定する。
【０１１９】
（ステップＳ２４０２）  仮計測基準信号を用いて得られた実波形変換データ２１７１と理論波形データ０１５２とを比較する。比較して異なっている場合にはステップＳ２４０３へ進む。比較して同じであった場合にはステップＳ２４０７へ進む。
【０１２０】
（ステップＳ２４０３）  計測基準信号選択装置２３７０は、プローブ０１０２の別のピン（ステップＳ２４０１で仮計測基準信号として用いていないピン）を仮計測基準信号として仮に設定する。
【０１２１】
（ステップＳ２４０４）  仮計測基準信号を用いて得られた実波形変換データ２１７１と理論波形データ０１５２とを比較する。比較して異なっている場合にはステップＳ２４０５へ進む。比較して同じであった場合にはステップＳ２４０７へ進む。
【０１２２】
（ステップＳ２４０５）  計測基準信号選択装置２３７０は、プローブ０１０２の別のピン（ステップＳ２４０１，Ｓ２４０３，・・・で仮計測基準信号として用いていないピン）を仮計測基準信号として仮に設定する。
【０１２３】
（ステップＳ２４０６）  仮計測基準信号を用いて得られた実波形変換データ２１７１と理論波形データ０１５２とを比較する。実波形変換データ２１７１と理論波形データ０１５２とを比較して同じであった場合にステップＳ２４０７へ進む。
【０１２４】
（ステップＳ２４０７）  実波形変換データ２１７１と理論波形データ０１５２とを比較して同じであった場合、ステップＳ２４０５で仮に設定した仮計測基準信号を、計測基準信号として決定する。
【０１２５】
図２３のような構成の計測装置の実施の形態１２において、図２５のフローチャートを用いて説明する。
【０１２６】
（ステップＳ２５０１）  １つ目の仮計測基準信号を決定する。
【０１２７】
（ステップＳ２５０２）  実波形データ０１５３を実波形変換データ２１７１に変換する。
【０１２８】
（ステップＳ２５０３）  波形データ比較部０１５４が実波形変換データ２１７１と理論波形データ０１５２を読み込む。
【０１２９】
（ステップＳ２５０４）  実波形変換データ２１７１と理論波形データ０１５２とが一致しているかどうかを波形データ比較部０１５４で比較する。一致しない場合はステップＳ２５０５へ進み、一致した場合はステップＳ２５０６へ進む。
【０１３０】
（ステップＳ２５０５）  仮計測基準信号を、ステップＳ２５０１で仮計測基準信号として用いたピン以外のピンへ移動させる。
【０１３１】
（ステップＳ２５０６）  仮計測基準信号を計測基準信号と決定する。
【０１３２】
（ステップＳ２５０７）  ステップＳ２５０６で決定した計測基準信号を使って得られた信号名とプローブの対応情報を、信号名・プローブ対応付け部０１５５に通知する。
【０１３３】
（実施の形態１３）
図２６は、本発明の実施の形態１３における計測基準信号選択装置を含む計測装置の構成を示すブロック図である。
【０１３４】
図２６に示す計測装置は、実施の形態１で示す計測装置の各構成要素と、計測基準信号選択装置２３７０とで構成される。なお、計測基準信号選択装置２３７０は、実施の形態１２の図２３に示す説明と同様である。
【０１３５】
図２６のような構成の計測装置の実施の形態１３において、図２７のフローチャートを用いて説明する。
【０１３６】
（ステップＳ２５０１）  １つ目の仮計測基準信号を決定する。
【０１３７】
（ステップＳ２７０３）  波形データ比較部０１５４が実波形データ０１５３と理論波形データ０１５２を読み込む。
【０１３８】
（ステップＳ２５０４）  実波形データ０１５３と理論波形データ０１５２とが一致しているかどうかを波形データ比較部０１５４で比較する。一致しない場合はステップＳ２５０５へ進み、一致した場合はステップＳ２５０６へ進む。
【０１３９】
（ステップＳ２５０５）  仮計測基準信号を、ステップＳ２５０１仮計測基準信号として用いたピン以外のピンへ移動させる。
【０１４０】
（ステップＳ２５０６）  仮計測基準信号を計測基準信号と決定する。
【０１４１】
（ステップＳ２５０７）  ステップＳ２５０６で決定した計測基準信号を使って得られた信号名とプローブの対応情報を、信号名・プローブ対応付け部０１５５に通知する。
【０１４２】
実施の形態１２との違いは、仮計測基準信号を変更する際に、電源を入れ直したり、リセットしたり、プログラムを最初から実行させるなどする必要がある点である。
【０１４３】
（実施の形態１４）
図２８は、本発明の実施の形態１４における表示装置を含む計測装置の構成を示すブロック図である。
【０１４４】
図２８に示す表示装置は、図２３に加えて、計測基準信号選択装置２３７０により選択された信号や状態を表示するための表示装置２８７０とで構成される。表示装置２８７０により、計測基準信号選択装置２３７０により選択された計測基準信号や、立ち上がり、立ち下がりなどといった信号の状態を表示させることが可能となる。
【０１４５】
なお、実施の形態１３に示す図２６において、本実施の形態と同様の表示装置２８７０を付加した場合でも、同様の効果が得られる。
【０１４６】
【発明の効果】
以上のように本発明によれば、プローブ決定用プログラムを実行させることでロジックアナライザの表示装置に自動的に信号名（ラベル）を表示するため、プローブに信号名（ラベル）を対応付ける人為的な作業を省略することができるとともに、誤接続を抑制することができる。
【０１４７】
また、信号名の対応付けができないプローブを不要プローブとして抽出することにより、個数が有限のロジックアナライザのプローブを有効利用することが可能となる。また、不要プローブ種類分別部により、不要であるプローブの種類を知り、その結果をユーザが確認した上でプローブを取り外すことができるため、取り外しの誤りを防ぐことが可能となる。
【０１４８】
また、プローブ決定用プログラム選択部により、複数のターゲットに対して、ロジックアナライザを共用することができる。
【０１４９】
また、理論波形データ調整部により、ターゲットにおけるマイコンや記憶装置の設定の組み合わせに応じて、出力される理論波形データとして、例えばノーウェイトのものや１ウェイトのものなど、最適なものを取得することができる。
【０１５０】
また、理論波形データ蓄積部と理論波形データ選択部とにより、ターゲットにおけるマイコンや記憶装置の設定の組み合わせに応じて、出力される理論波形データとして、例えばノーウェイトのものや１ウェイトのものなど、最適なものを取得することができる。
【０１５１】
また、理論波形データ蓄積部と理論波形データ発見部とにより、ターゲットにおけるマイコンや記憶装置の設定の組み合わせに応じて、出力される理論波形データとして、例えばノーウェイトのものや１ウェイトのものなど、最適なものを取得することができる。
【０１５２】
また、プローブ配線ディスパッチ装置、結線情報作成部および結線組み替え部により、アドレス信号、データ信号などのまとまりのあるデータをプローブ線の連続するプローブに接続することが可能となり、ロジックアナライザの変更などを行わないで、アドレス、データなどの値を表示させることができる。
【０１５３】
また、ユーザプロファイル蓄積部、波形データ抽出部、未対応プローブ検出部、結線組み替え部およびプローブ配線ディスパッチ装置とにより、ユーザが目的とするプローブを自動的に選択し、ターゲット上のプローブ接続を意識しなくても計測ができる効果がある。
【０１５４】
また、複数のリファレンスプログラム、計測目的記述ファイルおよび計測目的別プログラム選択装置とにより、ロジックアナライザによるプローブと信号名（ラベル）との自動的な対応付けの処理を、目的に応じて柔軟に展開することができる。
【０１５５】
また、波形データ変換装置により、リアルタイムの比較が可能で、電源を入れ直したり、リセットしたり、プログラムを最初から実行させるなどといった初期状態に戻すことなく、プログラム実行中にプローブを繋ぎ替えた場合でも、そのプローブがどの信号と対応付けられるかの判定を継続的に効率良く遂行できるようになる。
【０１５６】
また、計測基準信号選択装置により、仮計測基準信号、立ち上がりや立ち下がりなどの信号の状態も、同様に決定することができる。
【０１５７】
また、表示装置により、選択された計測基準信号や、立ち上がり、立ち下がりなどといった信号の状態を表示させることが可能となる。
【図面の簡単な説明】
【図１】本発明の実施の形態１における計測装置の構成を示すブロック図
【図２】本発明の実施の形態２におけるプローブ決定用プログラムの例（一部分）
【図３】本発明の実施の形態１における理論波形データ発生部が発生する理論波形データの例
【図４】本発明の実施の形態１におけるロジックアナライザから得られる実波形データの例
【図５】本発明の実施の形態１における信号名・プローブ対応表
【図６】本発明の実施の形態１における信号名が設定されたロジックアナライザの表示例
【図７】本発明の実施の形態２における計測装置の構成を示すブロック図
【図８】本発明の実施の形態３における計測装置の構成を示すブロック図
【図９】本発明の実施の形態４における計測装置の構成を示すブロック図
【図１０】本発明の実施の形態５における計測装置の構成を示すブロック図
【図１１】本発明の実施の形態５における理論波形データ発生部が発生する理論波形データの例
【図１２】本発明の実施の形態６における計測装置の構成を示すブロック図
【図１３】本発明の実施の形態７における計測装置の構成を示すブロック図
【図１４】本発明の実施の形態８における計測装置の構成を示すブロック図
【図１５】本発明の実施の形態８における結線情報作成の説明図
【図１６】本発明の実施の形態９における計測装置の構成を示すブロック図
【図１７】本発明の実施の形態９における結線状態データの説明図
【図１８】本発明の実施の形態９におけるプロファイル毎の波形データ抽出の説明図
【図１９】本発明の実施の形態１０における計測装置の構成を示すブロック図
【図２０】本発明の実施の形態１０におけるリファレンスプログラムと計測目的記述ファイルの説明図
【図２１】本発明の実施の形態１１における計測装置の構成を示すブロック図
【図２２】本発明の実施の形態１１における実波形データ、実波形変換データと理論波形データの説明図
【図２３】本発明の実施の形態１２における計測装置の構成を示すブロック図
【図２４】本発明の実施の形態１２における計測基準信号選択の説明図
【図２５】本発明の実施の形態１２における計測基準信号選択のフローチャート
【図２６】本発明の実施の形態１３における計測装置の構成を示すブロック図
【図２７】本発明の実施の形態１３における計測基準信号選択のフローチャート
【図２８】本発明の実施の形態１４における計測装置の構成を示すブロック図
【図２９】従来の計測装置の構成を示すブロック図
【符号の説明】
０１０１  ロジックアナライザ
０１０２  プローブ
０１０３  表示装置
０１０４  ターゲット
０１０５  マイコン
０１０６  記憶装置
０１１０  各種ターゲット
０１５０  プローブ決定用プログラム
０１５１  理論波形データ発生部
０１５２  理論波形データ
０１５３  実波形データ
０１５４  波形データ比較部
０１５５  信号名・プローブ対応付け部
０７５６  不要プローブ選択部
０８５７  不要プローブの種類分別部
０９５０  各種プローブ決定用プログラム
０９５４  プローブ決定用プログラム選択部
１０５０  理論波形データ調整部
１２２０  理論波形データ蓄積部
１２５４  理論波形データ選択部
１３５０  理論波形データ発見部
１４２０  プローブ配線ディスパッチ装置
１４２１  ターゲット側プローブ
１４２２  ロジックアナライザ側プローブ
１４５８  信号名・プローブ対応表
１４５９  結線情報作成部
１４６０  結線情報データ
１４６１  結線組み替え部
１４６２  初期結線状態データ
１６２０  プローブ配線ディスパッチ装置
１６２１  ターゲット側プローブ
１６２２  ロジックアナライザ側プローブ
１６３０  ユーザプロファイル蓄積部
１６６２  プロファイル毎の波形データ抽出部
１６６３  信号名・プローブ対応表
１６６４  未対応プローブ検出部
１６６５  結線情報データ
１６６６  結線組み替え部
１６６７  結線状態データ
１９７０  計測目的別プログラム選択装置
１９７１  計測目的記述ファイル
１９７２  リファレンスプログラム群
２１７０  波形データ変換装置
２１７１  実波形変換データ
２２００  比較ポイント
２２０１  比較ポイント
２２０２  基準波形
２２０３  波形信号データ
２２０４  実波形パターン
２２０５  理論波形パターン
２３７０  計測基準信号選択装置
２８７０  出力装置
Ｓ２４０１  仮計測基準信号を設定
Ｓ２４０２  期待値と比較
Ｓ２４０３  仮計測基準信号を設定
Ｓ２４０４  期待値と比較
Ｓ２４０５  仮計測基準信号を設定
Ｓ２４０６  期待値と比較
Ｓ２４０７  期待値と合致すれば、仮計測基準信号を計測基準信号とする
Ｓ２５０１  １つ目の仮計測基準信号を決定する
Ｓ２５０２  実波形データを実波形変換データに変換する
Ｓ２５０３  実波形変換データと理論波形データを読み込む
Ｓ２５０４  実波形データと理論波形データとが一致しているか？
Ｓ２５０５  仮計測基準信号を次へ移動させる
Ｓ２５０６  仮計測基準信号を計測基準信号とする
Ｓ２５０７  信号名・プローブ対応付け部に信号名とプローブの対応情報を通知する
Ｓ２７０３  実波形データと理論波形データを読み込む
【図１】
2004257813.tif 000003
【図２】
2004257813.tif 000004
【図３】
2004257813.tif 000005
【図４】
2004257813.tif 000006
【図５】
2004257813.tif 000007
【図６】
2004257813.tif 000008
【図７】
2004257813.tif 000009
【図８】
2004257813.tif 000010
【図９】
2004257813.tif 000011
【図１０】
2004257813.tif 000012
【図１１】
2004257813.tif 000013
【図１２】
2004257813.tif 000014
【図１３】
2004257813.tif 000015
【図１４】
2004257813.tif 000016
【図１５】
2004257813.tif 000017
【図１６】
2004257813.tif 000018
【図１７】
2004257813.tif 000019
【図１８】
2004257813.tif 000020
【図１９】
2004257813.tif 000021
【図２０】
2004257813.tif 000022
【図２１】
2004257813.tif 000023
【図２２】
2004257813.tif 000024
【図２３】
2004257813.tif 000025
【図２４】
2004257813.tif 000026
【図２５】
2004257813.tif 000027
【図２６】
2004257813.tif 000028
【図２７】
2004257813.tif 000029
【図２８】
2004257813.tif 000030
【図２９】
2004257813.tif 000031